【事件の表示】
　特願２００４−３４５１８１「超音波診断装置」拒絶査定不服審判事件〔平成１８年　６月１５日出願公開、特開２００６−１４９７０１〕について、次のとおり審決する。
【結　論】
　本件審判の請求は、成り立たない。
【理　由】
第１　手続の経緯 
　本願は、平成１６年１１月３０日を出願日とする出願であって、平成２２年７月１５日付けで拒絶理由が通知され、同年１０月１９日付けで手続補正がなされ、同年１２月１０日付けで拒絶理由が通知され、平成２３年３月１０日付けで意見書のみが提出され、同年５月３１日付けで拒絶査定がなされ、同年１０月５日に拒絶査定不服審判の請求がなされたものである。
　さらに、平成２４年１１月１４日付けで当審拒絶理由を通知し、平成２５年２月１８日付けで手続補正がなされたものである。
　
第２　本願発明
　本願の請求項１〜７に係る発明は、明細書の特許請求の範囲の請求項１〜７に記載された事項により特定されたものであって、その請求項１に係る発明は、平成２５年２月１８日付け手続補正書により補正された特許請求の範囲の請求項１に記載された次のとおりのものであると認める。　 
「【請求項１】
　超音波プローブと、
　前記超音波プローブから超音波を被検体へ送信し、前記被検体から反射される前記超音波を前記超音波プローブで受信してエコー信号を得る送受信部と、
　前記送受信部により得られる前記エコー信号に基づいて、前記被検体の断層面についての断層画像を生成する断層画像生成部と、
　前記断層画像生成部により生成された前記断層画像を表示する表示部とを備える超音波診断装置であって、
　前記表示部により表示される前記断層画像について計測する計測項目を設定するとともに、前記表示部により表示される前記断層画像上で、計測する計測部位に合わせて計測部位図形を描くことにより前記計測部位を設定する計測設定部と、
　前記計測設定部により設定された前記計測項目と前記計測部位とに基づいて前記表示部により表示される前記断層画像について計測し計測結果を得る計測部とを有し、
　前記表示部は、前記計測設定部により前記計測部位に合わせて描いた前記計測部位図形でなる計測部位画像を前記断層画像上に表示するとともに、前記計測設定部により設定された前記計測項目を示す３以上の文字を含む計測項目画像と、前記計測部により得られた前記計測結果を示す計測結果画像とを、前記表示された計測部位図形に沿って並べて表示する超音波診断装置。」（以下、「本願発明」という。）
　
第３　引用刊行物記載の発明 （下線は当審で付与した。）
（１）本願出願前に頒布され拒絶の理由に引用された刊行物である特開２０００−１８５０３８号公報（以下、「刊行物１」という。）には、「超音波画像診断装置及びその計測方法」について図面とともに次の事項が記載されている。  
（１−ア）「【０００１】
【発明の属する技術分野】この発明は、超音波画像を用いて計測を行う超音波画像診断装置及びその計測方法に係り、特にレポート／ワークシート画面により計測を起動可能にする装置及び方法に関する。
【０００２】
【従来の技術】従来、超音波画像診断装置では、被検体内の診断部位との間での超音波ビームのスキャンで得られた超音波画像を用いて診断部位内の関心部位等の面積、長さ、角度等の一般的な計測のほか、予め定式化された手法を用いた計測等を行い、これらの計測値を診断に必要なデータとして提供するものが知られている。
【０００３】このような超音波画像を用いた計測の手順を説明すると、一般的な計測の場合では、１）関心部位を描出、２）
面積、長さ等の計測手法
３）計測用のマーカを画面表示、４）ポインティングデバイスによりマーカを移動、
　
（１ーイ）「【００１９】
【発明の実施の形態】以下、この発明に係る超音波画像診断装置の実施の形態を図面を参照して具体的に説明する。
【００２０】
図１に示す超音波画像診断装置は、超音波探触子１と、この探触子１を駆動させることにより超音波ビームを被検体内の診断部位に向けて送信させると共に、その超音波ビームの診断部位からのエコー信号を探触子１を介して受信する送受信回路２と、この送受信回路２を介してエコー信号に基づく超音波画像（Ｂモード断層像、ドプラ画像等）を作成し保持する画像メモリ回路３と、この画像メモリ回路３を介して超音波画像を表示するＣＲＴやＬＣＤ（液晶ディスプレイ）等の表示回路４と、これらの各回路２〜４の動作を制御する制御回路５と、上記の超音波画像を用いて診断に必要な計測を行う計測システム６とを備えている。
計測システム６は、
計測項目、及び計測手法（Ｍｅｔｈｏｄ）に関するデータ
に基づいて計測を実行し且つそのデータ及び計測結果を表示回路４に表示させる
計測項目等のデータを表示回路４の画面上で指定する手段を成すポインティングデバイス（トラックボール、マウス等）及びキーボード等の入力デバイス９とを備えている。
　
（１−ウ）「【００２４】このうち、「計測項目」の内容としては、名称、配置座標、計測方法（ＭＥＴＨＯＤ）、項目番号等があり、入力デバイス９を操作することによりそれらの登録内容をメモリ７に記憶することができる。
計測項目としては、例えば、距離測定
【００２５】次いで、このようなレポート／ワークシート定義画面上でオペレータが入力デバイス９を操作して必要な欄にデータを入力・登録することにより、ＣＰＵ８はステップＳ２にてレポート／ワークシートの種類に相当するデータを、ステップＳ３にて計測項目／計測手法に相当するデータをそれぞれ設定し、ステップＳ４及びステップＳ５にて全ての登録が完了したか否かを判断し、この判断結果が「ＹＥＳ」になるまでステップＳ３の処理を繰り返す。
【００２６】上記のＣＰＵ８の処理により、オペレータの入力デバイス９の操作で入力されたレポート／ワークシートの書式を定義するデータとして種類、計測項目／計測手法等のデータが計測システム６内で実行可能に定義・登録され、メモリ７に保存される。
【００２７】計測の段階では、
診断部位に必要な計測に応じてレポート／ワークシートの種類を指定し、或いは診断部位に応じて自動で指定することにより、
超音波画像と同時に表示回路４上の同一の計測画面中に表示される。
　
（１−エ）「【００３４】さらに、計測値のデータを必要に応じてキー入力等により編集することも可能である。この場合、レポート／ワークシート
画面上の計測値の表示エリアをポインティングデバイスやカーソルの指定により指示し、そこでキー入力によりデータを編集させてもよい。
【００３５】このようなデータ編集機能等を持たせた場合の計測画面の表示例を図４及び図５に示す。図５は血管の短軸長等を計測する場合、図６は左右ＩＣＡ／ＥＣＡスキャンで得られた画像を用いて計測する場合をそれぞれ示す。」
　
（１−オ）第５図には、血管の短軸長等を計測する場合の
矢印と共に
計測項目として
「ＤＩＳＴ」
　
　上記（１−ア）〜（１−オ）の記載と図１〜６を参照すると、上記刊行物１には、 
「超音波探触子１と、この探触子１を駆動させることにより超音波ビームを被検体内の診断部位に向けて送信させると共に、その超音波ビームの診断部位からのエコー信号を探触子１を介して受信する送受信回路２と、この送受信回路２を介してエコー信号に基づく超音波画像（Ｂモード断層像、ドプラ画像等）を作成し保持する画像メモリ回路３と、この画像メモリ回路３を介して超音波画像を表示するＣＲＴやＬＣＤ（液晶ディスプレイ）等の表示回路４と、
被検体内の診断部位との間での超音波ビームのスキャンで得られた超音波画像を用いて診断に必要な計測を行う計測システム６と、
を備えている超音波画像診断装置において、
計測項目等のデータについて、表示回路４の画面上で、計測用のマーカを画面表示し、指定する手段を成すポインティングデバイス（トラックボール、マウス等）によりマーカを移動させて範囲を設定し、
例えば、距離測定、「ＤＩＳＴ」等の計測項目、及び面積、長さ等の計測手法（Ｍｅｔｈｏｄ）に関するデータを登録・保存する手段を成すメモリ７とを備え、
計測システム６は、上記計測項目等、及び計測手法（Ｍｅｔｈｏｄ）に関するデータに基づいて計測を実行し且つそのデータ及び計測結果を、超音波画像と同時に表示回路４上の同一の計測画面中に矢印と共に表示させる超音波画像診断装置。」の発明（以下、「引用発明」という。）が記載されていると認める。  
　
第４　対比・判断 
   本願発明と引用発明とを対比する。
ア　その構造・機能からみて、引用発明の「超音波探触子１」、「送受信回路２」、「画像メモリ回路３」、「表示回路４」、および「矢印」は、それぞれ、本願発明の「超音波プローブ」、「送受信部」、「断層画像生成部」、「表示部」および「計測部位図形」に相当することが明らかである。
　
イ　引用発明の「超音波画像」は、「被検体内の診断部位との間での超音波ビームのスキャンで得られた」ものであるから、本願発明の「被検体の断層面の断層画像」に相当することは明らかである。
　
ウ　引用発明の「超音波画像診断装置」は、「診断に必要な計測を行う計測システム６」「を備えている」のであるから、本願発明の「断層画像計測装置」に相当する。
　
エ　引用発明の「計測項目等のデータについて、表示回路４の画面上で計測用のマーカを画面表示し、指定する手段を成すポインティングデバイス（トラックボール、マウス等）によりマーカを移動させて範囲を設定し」とは、本願発明の「前記表示部により表示される前記断層画像上で、計測する計測部位に合わせて計測部位図形を描くことにより前記計測部位を設定する」ことに相当する。そして、引用発明は「例えば、距離測定、「ＤＩＳＴ」等の計測項目、及び面積、長さ等の計測手法（Ｍｅｔｈｏｄ）に関するデータを登録・保存する手段を成すメモリ７とを備え」ることから、本願発明の「前記断層画像について計測する計測項目を設定する」構成を有することは明らかであるから、引用発明は、本願発明の「計測設定部」を有するといえる。
　
オ　引用発明は「計測システム６は、上記計測項目等、及び計測手法（Ｍｅｔｈｏｄ）に関するデータに基づいて計測を実行し且つそのデータ及び計測結果を、超音波画像と同時に表示回路４上の同一の計測画面中に矢印と共に表示させる」のであるから、本願発明の「計測部」を有することは明らかである。
　
カ　引用発明の計測項目には、４文字の「ＤＩＳＴ」が例示されている。
　したがって、引用発明の「計測システム６は、上記計測項目等、及び計測手法（Ｍｅｔｈｏｄ）に関するデータに基づいて計測を実行し且つそのデータ及び計測結果を、超音波画像と同時に表示回路４上の同一の計測画面中に矢印と共に表示させる」と、
本願発明の「前記表示部は、前記計測設定部により前記計測部位に合わせて描いた前記計測部位図形でなる計測部位画像を前記断層画像上に表示するとともに、前記計測設定部により設定された前記計測項目を示す３以上の文字を含む計測項目画像と、前記計測部により得られた前記計測結果を示す計測結果画像とを、前記表示された計測部位図形に沿って並べて表示する」とは、
「前記表示部は、前記計測設定部により前記計測部位に合わせて描いた前記計測部位図形でなる計測部位画像を前記断層画像上に表示するとともに、前記計測設定部により設定された前記計測項目を示す計測項目画像と、前記計測部により得られた前記計測結果を示す３以上の文字を含む計測結果画像とを、前記表示された計測部位図形と共に表示する」の点で共通するといえる。
　
　そうすると、本願発明と引用発明とは、 
「被検体の断層面の断層画像について計測する断層画像計測装置であって、
　前記断層画像を表示する表示部と、
　前記表示部により表示される前記断層画像について計測する計測項目を設定するとともに、前記表示部により表示される前記断層画像上で、計測する計測部位に合わせて計測部位図形を描くことにより前記計測部位を設定する計測設定部と、
　前記計測設定部により設定された前記計測項目と前記計測部位とに基づいて前記表示部により表示される前記断層画像について計測し計測結果を得る計測部とを有し、
　前記表示部は、前記計測設定部により前記計測部位に合わせて描いた前記計測部位図形でなる計測部位画像を前記断層画像上に表示するとともに、前記計測設定部により設定された前記計測項目を示す計測項目画像と、前記計測部により得られた前記計測結果を示す３以上の文字を含む計測結果画像とを、前記表示された計測部位図形と共に表示する
断層画像計測装置。」である点で一致し、次の点で相違している。 　　
　
（相違点）
  断層画像上に表示する２つの画像である、計測項目画像、及び計測結果画像の計測部位図形に対する配置について、本願発明では、「表示された計測部位図形に沿って並べて表示する」のに対して、引用発明では、そのような特定をしていない点。
　
（１）相違点についての検討
　「図形画像と、図形の一部寸法とを、寸法範囲表示に沿って並べて表示する」構成は、コンピュータシステム利用分野においては周知技術であり、例えば、本願出願前に頒布された刊行物である特開２００２−３２６２３号公報の図１５（ｂ）に設計データを用いる例として記載されている。
　コンピュータを用いた表示において、項目を並べて見やすくすることは、超音波診断装置でも違いはなく、コンピュータ利用の表示一般で当然であり、画面上の表示項目のレイアウトに表示項目の出所の違いが関係しないことも、コンピュータ利用の表示一般で当然である。
　
　してみると、断層画像計測装置における計測項目画像、計測結果画像、及び計測部位図形の配置として上記周知技術を採用して、相違点における本願発明の構成とすることは、当業者が容易に想到するものといえる。
　そして、本願発明の作用効果は、見やすいだけで、超音波診断装置特有の効果はなく、引用発明および周知技術からから当業者が予測し得る範囲内のものにすぎない。
　
　したがって、本願発明は、引用発明および周知技術に基づき当業者が容易に発明をすることができたものである。　
　
第５　むすび 
　以上のとおり、本願発明は、引用発明、および周知技術に基づいて当業者が容易に発明をすることができたものであるから、特許法第２９条第２項の規定により特許を受けることができない。　 
　したがって、その他の請求項について言及するまでもなく、本願出願は拒絶されるべきものである。　 
　よって、結論のとおり審決する。